(57)【要約】【課題】収納領域に収納される物品を検索する場合にその検索操作を簡略化する。【解決手段】棚１ａ〜１ｃに収納される書籍の中から管理用パソコン４０にて所望の書籍が指定された場合、管理サーバ２０において、その書籍の書籍ＩＤを、指定の際にリーダ４１にて読み取られた利用者ＩＤと対応づけて管理しておき、その後、リーダ４１にて利用者ＩＤが読み取られた場合、棚１ａ〜１ｃに収納される書籍のうち、リーダ４１にて利用者ＩＤが読み取られた利用者ＩＤに対応づけられた書籍のみに関する情報を管理用パソコン４０に表示する。【選択図】図１
2007238236.tif 000002
【特許請求の範囲】
【請求項１】
収納領域に収納された物品を、該物品に取り付けられたＲＦ−ＩＤメディアを用いて管理する物品管理システムであって、
前記収納領域に配置され、前記ＲＦ−ＩＤメディアから情報を読み取る情報読取手段と、
前記収納領域に収納される物品に関する情報と、該物品に取り付けられたＲＦ−ＩＤメディアに書き込まれた情報とを対応づけて管理するとともに、前記情報読取手段の配置位置を管理し、前記情報読取手段にて読み取られた情報及び該情報読取手段の配置位置に基づいて物品の収納位置を認識する管理手段と、
前記収納領域に収納される物品に関する情報を表示する表示手段とを有し、
前記管理手段は、前記収納領域に収納される物品のうち予め指定された物品を、該指定の際に付与されている識別情報と対応づけて管理し、前記識別情報が付与された場合、前記収納領域に収納される物品のうち当該識別情報に対応づけられた物品のみに関する情報を前記表示手段に表示する物品管理システム。
【発明の詳細な説明】
【技術分野】
【０００１】
本発明は、収納領域に収納される物品を、物品に取り付けられたＲＦ−ＩＤメディアを用いて管理する物品管理システムに関する。
【背景技術】
【０００２】
従来、図書館等において棚に収納された書籍を管理する場合、バーコードや識別番号等のような書籍を管理するための識別情報を書籍の表紙あるいは裏表紙に記載したり、あるいは、識別情報が印字されたラベルを書籍の表紙あるいは裏表紙に貼付したりしている。そして、このバーコードや識別番号等の識別情報を書籍名と対応づけて管理しておき、書籍の保管場所において、書籍からバーコードや識別番号等の識別情報を読み取ることにより、書籍の在庫管理を行っている。
【０００３】
また、近年、非接触状態にて情報の書き込み及び読み出しが可能な非接触型ＩＣタグや非接触型ＩＣラベルといったＲＦ−ＩＤメディアを書籍に貼付しておき、また、書籍が収納される棚の底板や背板に、ＲＦ−ＩＤメディアから情報を読み取るためのアンテナを配置しておき、このアンテナを介してＲＦ−ＩＤメディアから情報を読み取り、書籍の在庫管理を行う技術が考えられている。このようなＲＦ−ＩＤメディアを用いた書籍管理においては、書籍名等の書籍情報とその書籍に取り付けられたＲＦ−ＩＤメディアの識別情報となるシリアル番号とが予め対応づけられており、また、ＲＦ−ＩＤメディアのシリアル番号がアンテナを介して読み取られることにより書籍の収納場所が管理されている。そして、管理用パソコン等に対して、検索対象となる書籍名等の書籍情報が検索条件として入力されたり、棚に収納された書籍の一覧から検索対象となる書籍名等の書籍情報が指定されたりすることにより、所望の書籍の収納場所が管理用パソコン等に表示されることになる（例えば、特許文献１，２参照。）。
【特許文献１】特開２００３−７２９１９号公報
【特許文献２】特開２００４−２６４６５号公報
【発明の開示】
【発明が解決しようとする課題】
【０００４】
上述したような従来の書籍管理においては、棚等の収納領域に収納された書籍等の物品を検索する場合、書籍名等の物品に関する情報を検索条件として管理用パソコン等に入力したり、収納領域に収納された物品の一覧から検索対象となる物品に関する情報を指定したりすることになるため、一度検索した物品を再度検索する場合であっても、その物品に関する情報を検索条件として入力したり、収納領域に収納された物品の一覧からその物品に関する情報を指定したりしなければならず、特に、同一の物品を異なる日時で何度も検索する場合、検索操作が煩雑になってしまうという問題点がある。
【０００５】
本発明は、上述したような従来の技術が有する問題点に鑑みてなされたものであって、収納領域に収納される物品を検索する場合にその検索操作を簡略化することができる物品管理システムを提供することを目的とする。
【課題を解決するための手段】
【０００６】
上記目的を達成するために本発明は、
収納領域に収納された物品を、該物品に取り付けられたＲＦ−ＩＤメディアを用いて管理する物品管理システムであって、
前記収納領域に配置され、前記ＲＦ−ＩＤメディアから情報を読み取る情報読取手段と、
前記収納領域に収納される物品に関する情報と、該物品に取り付けられたＲＦ−ＩＤメディアに書き込まれた情報とを対応づけて管理するとともに、前記情報読取手段の配置位置を管理し、前記情報読取手段にて読み取られた情報及び該情報読取手段の配置位置に基づいて物品の収納位置を認識する管理手段と、
前記収納領域に収納される物品に関する情報を表示する表示手段とを有し、
前記管理手段は、前記収納領域に収納される物品のうち予め指定された物品を、該指定の際に付与されている識別情報と対応づけて管理し、前記識別情報が付与された場合、前記収納領域に収納される物品のうち当該識別情報に対応づけられた物品のみに関する情報を前記表示手段に表示する。
【０００７】
上記のように構成された本発明においては、物品が収納される収納領域には、物品に取り付けられたＲＦ−ＩＤメディアから情報を読み取る情報読取手段が配置されており、この情報読取手段の配置位置が管理手段にて管理されている。また、物品に取り付けられたＲＦ−ＩＤメディアに書き込まれた情報は、このＲＦ−ＩＤメディアが取り付けられた物品に関する情報と対応づけて管理手段にて管理されている。これにより、管理手段においては、情報読取手段にて読み取られた情報とその情報読取手段の配置位置とに基づいて物品の収納位置が認識される。そして、利用者ＩＤ等の識別情報が付与されている状態で収納領域に収納される物品の中から所望の物品が指定されると、管理手段において、この指定された物品が識別情報と対応づけて管理される。その後、管理手段に識別情報が付与された場合、収納領域に収納される物品のうち、付与された識別情報に対応づけられた物品のみに関する情報が表示手段に表示される。
【０００８】
このように、収納領域に収納される物品の中から所望の物品が指定された場合、その後、この指定の際に付与されていた利用者ＩＤ等の識別情報が付与された場合、収納領域に収納される物品のうち、付与された識別情報に対応づけられた物品のみに関する情報が表示手段に表示されるので、収納領域に収納される物品を検索する場合にその検索操作が簡略化されることになる。
【０００９】
例えば、前記管理手段は、前記収納領域に収納される物品のうち特定の物品に関する情報を前記表示手段に表示し、該表示された情報が指定された場合、当該情報を前記指定の際に付与されている識別情報と対応づけて管理することが考えられる。
【００１０】
この場合、収納領域に収納される物品のうち特定の物品のうち特定の物品に関する情報が表示手段に表示された状態において、その表示された情報が指定された場合、その後、この指定の際に付与されていた識別情報が付与されると、収納領域に収納される物品のうち、付与された識別情報に対応づけられた物品のみに関する情報が表示手段に表示されることになる。
【００１１】
また、前記収納領域とは異なる領域に配置され、前記ＲＦ−ＩＤメディアから情報を読み取る指定情報読取手段を有し、
前記管理手段は、前記指定情報読取手段にて読み取られた情報を、該読み取り動作の際に付与されている識別情報と対応づけて管理することも考えられる。
【００１２】
この場合、物品に取り付けられたＲＦ−ＩＤメディアに書き込まれた情報が指定情報読取手段にて読み取られ、その後、この読み取り動作の際に付与されていた識別情報が付与されると、収納領域に収納される物品のうち、指定情報読取手段にてＲＦ−ＩＤメディアから情報が読み取られた物品のみに関する情報が表示手段に表示されることになる。
【発明の効果】
【００１３】
以上説明したように本発明においては、収納領域に収納された物品の中から所望の物品が指定された場合、管理手段において、その物品を指定の際に付与されている識別情報と対応づけて管理しておき、その後、識別情報が付与された場合、収納領域に収納された物品のうち、付与された識別情報に対応づけられた物品のみに関する情報を表示手段に表示する構成としたため、収納領域に収納された物品を検索する場合にその検索操作を簡略化することができる。
【発明を実施するための最良の形態】
【００１４】
以下に、本発明の実施の形態について図面を参照して説明する。
【００１５】
（第１の実施の形態）
図１は、本発明の物品管理システムの第１の実施の形態を示す図である。また、図２は、図１に示したブックシェルフ２ａ〜２ｌの内部構造を示す図である。
【００１６】
本形態は図１に示すように、物品となる書籍が収納される収納領域となる棚１ａ〜１ｃと、棚１ａ〜１ｃにおける書籍の収納状況をそれぞれ取得するコントロールユニット１０ａ〜１０ｃと、コントロールユニット１０ａ〜１０ｃにて取得された棚１ａ〜１ｃにおける書籍の収納状況を管理する管理手段である管理サーバ２０と、書籍を検索するための手段となるとともに検索結果を表示出力する表示手段である管理用パソコン４０と、利用者毎に付与された識別情報となる利用者ＩＤを読み取るためのリーダ４１とから構成されている。
【００１７】
棚１ａ〜１ｃはそれぞれ、上段、中段、下段の３段構造となっており、上段、中段、下段のそれぞれには、書籍が並べられる方向に棚１ａ〜１ｃを仕切るブックシェルフ２ａ〜２ｌが設けられている。これにより、棚１ａ〜１ｃの上段、中段、下段には、それぞれ書籍が収納される３つの領域が形成されている。なお、この棚１ａ〜１ｃの段数及びブックシェルフの数はこれらに限らない。
【００１８】
また、図２に示すように、ブックシェルフ２ａ〜２ｌには、情報読取手段であるコイル状のアンテナ４が内蔵されており、このアンテナ４は、棚１ａ〜１ｃ毎にコントロールユニット１０ａ〜１０ｃに接続されている。なお、アンテナ４は、ブックシェルフ２ａ〜２ｌに内蔵される形態ではなく、ブックシェルフ２ａ〜２ｌの側面に取り付けられる形態であってもよい。
【００１９】
コントロールユニット１０ａ〜１０ｃは、ハブ３３を介して管理サーバ２０に接続されており、管理サーバ２０からの要求に従って、棚１ａ〜１ｃにおける書籍の収納状況を管理サーバ２０に送信する。
【００２０】
リーダ４１は、この物品管理システムの利用者が所持する利用者カード（不図示）から利用者ＩＤを読み取り、管理用パソコン４０に送信する。利用者カードとしては、非接触状態にて利用者ＩＤが読み取り可能なものや、接触状態にて利用者ＩＤが読み取り可能なもの等が考えられ、リーダ４１は、利用者カードの形態に応じて利用者ＩＤを読み取り可能なものである。
【００２１】
管理サーバ２０は、通信部２１，２２と、書籍情報データベース３１を管理する書籍情報管理部２３と、利用者情報データベース３２を管理する利用者情報管理部２４と、情報検索部２５と、情報画面提供部２６とから構成されている。
【００２２】
通信部２１は、ハブ３３を介してコントロールユニット１０ａ〜１０ｃとの間で情報の送受信を行うためのものであって、また、通信部２２は、管理用パソコン４０との間で情報の送受信を行うためのものである。
【００２３】
書籍情報データベース３１には、棚１ａ〜１ｃに収納される書籍の名称や著者名、出版社名、要約等の書籍に関する情報が、この書籍に貼付された非接触型ＩＣラベルに書き込まれた書籍ＩＤとなるシリアル番号に対応づけて登録されており、書籍情報管理部２３は、書籍ＩＤが指定された場合にこの書籍ＩＤに対応づけられた書籍の名称や著者名、出版社名、要約等の書籍に関する情報を書籍情報データベース３１から検索する。
【００２４】
利用者情報データベース３２には、上述した利用者ＩＤと書籍ＩＤとが対応づけて登録されており、利用者情報管理部２４は、これらの情報を対応づけて利用者情報データベース３２に登録するとともに、利用者ＩＤが指定された場合にその利用者ＩＤに対応づけられた書籍ＩＤを利用者情報データベース３２から検索する。なお、利用者ＩＤと書籍ＩＤとの対応づけについては後述する。
【００２５】
情報検索部２５は、通信部２２を介して受信された利用者ＩＤを利用者情報管理部２４に与えることにより、この利用者ＩＤに対応づけられた書籍ＩＤを利用者情報データベース３２から検索し、また、通信部２２を介して受信された書籍ＩＤを書籍情報管理部２３に与えることにより、この書籍ＩＤに対応づけられた書籍の名称や著者名、出版社名、要約等の書籍に関する情報を書籍情報データベース３１から検索する。また、通信部２２を介して受信された書籍ＩＤに基づいて、通信部２１を介してコントロールユニット１０ａ〜１０ｃにアクセスし、この書籍ＩＤによって識別される書籍の収納位置を取得する。
【００２６】
情報画面提供部２６は、書籍を検索するための情報画面や、検索結果が掲載された情報画面や、書籍の名称や著者名、出版社名、要約等の書籍に関する情報、あるいは収納場所が掲載された情報画面を通信部２２を介して管理用パソコン４０に提供する。
【００２７】
図３は、図１に示したコントロールユニット１０ａ〜１０ｃの構成を示す図である。
【００２８】
本形態におけるコントロールユニット１０ａ〜１０ｃは図３に示すように、棚１ａ〜１ｃに配置されたブックシェルフ２ａ〜２ｌ内のアンテナ４のＯＮ／ＯＦＦを切り替えるとともに、棚１ａ〜１ｃに収納された物品に貼付された非接触型ＩＣラベルから書籍ＩＤとなるシリアル番号を読み取る収納状況取得部１１と、収納状況取得部１１における読み取り結果に基づいて棚１ａ〜１ｃにおける物品の収納状況情報をテーブル上にて保持する収納状況管理部１２と、管理サーバ２０から書籍の検索命令が与えられた場合、収納状況管理部１２にて保持された書籍の収納状況情報を用いて物品の収納位置を検索する検索部１３と、管理サーバ２０との間にて情報の送受信を行う通信部１４とから構成されている。
【００２９】
以下に、上記のように構成された物品管理システムの動作について説明する。
【００３０】
図４は、図１に示した棚１ａ〜１ｃに収納される書籍に貼付される非接触型ＩＣラベルの構造を示す図である。
【００３１】
本形態にて用いられる非接触型ＩＣラベルは図４に示すように、ラベル基材３ｃにコイル状のアンテナ３ｂが形成されているとともに、このアンテナ３ｂを介して非接触状態にて情報の読み取りが可能なＩＣチップ３ａがアンテナ３ｂに接続されるように搭載されて構成されている。
【００３２】
上記のように構成された非接触型ＩＣラベル３においては、図２に示したようなアンテナ４と対向することにより、１３．５６ＭＨｚ帯の周波数を用いた電磁誘導により、ＩＣチップ３ａに書き込まれた情報がアンテナ３ｂを介して読み取られることになる。
【００３３】
このような非接触型ＩＣラベル３が、棚１ａ〜１ｃに収納される書籍の表紙あるいは裏表紙に貼付されている。なお、このように非接触型ＩＣラベル３を書籍に貼付するのではなく、書籍にフィルム等によって挿入領域を形成しておき、この挿入領域に非接触型ＩＣタグを挿入するような構成とすることも考えられ、いずれの場合においても、非接触状態にて情報の読み取りが可能なＲＦ−ＩＤメディアが書籍に取り付けられることになる。
【００３４】
なお、本形態に用いられる非接触型ＩＣラベル３としては、上述したような１３．５６ＭＨｚ帯の周波数によって情報が読み取られるコイル状のアンテナを有するものに限られず、２．４５ＧＨｚや９００ＭＨｚ近傍の周波数で情報が読み取られるポール状のアンテナやその他の如何なる構造を有するものであってもよい。その場合、ブックシェルフ２ａ〜２ｌに取り付けられるアンテナとしては、図２に示したような１３．５６ＭＨｚ帯の周波数によって情報を読み取るコイル状のものではなく、２．４５ＧＨｚや９００ＭＨｚ近傍の周波数で情報を読み取るポール状のアンテナ等、非接触型ＩＣラベルのアンテナに応じた形状のアンテナが用いられることになる。
【００３５】
図４に示したような非接触型ＩＣラベル３が貼付された書籍を棚１ａ〜１ｃに収納して管理する場合は、まず、管理用パソコン４０や、管理サーバ２０に接続された端末（不図示）を用いて、書籍に貼付された非接触型ＩＣラベル３のＩＣチップ３ａに書き込まれたシリアル番号と、この書籍の名称や著者名、出版社名、要約等の書籍に関する情報とを取得してこれらを対応づけて管理サーバ２０に送信し、書籍情報データベース３１に登録して管理しておく。例えば、管理用パソコン４０にてこれらの情報を取得する場合は、管理用パソコン４０に接続されたリーダ４１にて書籍に貼付された非接触型ＩＣラベル３のＩＣチップ３ａに書き込まれたシリアル番号を読み取るとともに、この書籍の名称や著者名、出版社名、要約等の書籍に関する情報を管理用パソコン４０に入力し、これらを対応づけて管理サーバ２０に送信する。これにより、非接触型ＩＣラベル３のＩＣチップ３ａから読み取られた非接触型ＩＣラベル３のシリアル番号が書籍ＩＤとなり、書籍情報データベース３１において、棚１ａ〜１ｃに収納される書籍の名称や著者名、出版社名、要約等の書籍に関する情報が、この書籍に貼付された非接触型ＩＣラベル３のＩＣチップ３ａに書き込まれた書籍ＩＤに対応づけて登録されることになる。
【００３６】
また、コントロールユニット１０ａ〜１０ｃにおいては、収納状況取得部１１において、コントロールユニット１０ａ〜１０ｃに接続されたアンテナ４を介して非接触型ＩＣラベル３から情報の読み取るための制御が行われる。これは、収納状況取得部１１において、コントロールユニット１０ａ〜１０ｃに接続されたアンテナ４を内蔵するブックシェルフ２ａ〜２ｌのうち１つ目のブックシェルフ２ａに内蔵されたアンテナ４が選択され、このアンテナ４に対して高周波電流が供給されてアンテナ４を介して非接触型ＩＣラベル３からの情報の読み出しが行われ、その後、２つ目のブックシェルフ２ｂに内蔵されたアンテナ４が選択され、このアンテナ４に対して高周波電流が供給されてアンテナ４を介して非接触型ＩＣラベル３からの情報の読み出しが行われるというように、コントロールユニット１０ａ〜１０ｃに接続されたアンテナ４を内蔵するブックシェルフ２ａ〜２ｌのそれぞれについて順次行われることになる。なお、ブックシェルフ２ａ〜２ｌに内蔵されたアンテナ４については、コントロールユニット１０ａ〜１０ｃにてそのＩＤとなるアンテナ番号が管理されているため、コントロールユニット１０ａ〜１０ｃにおいて、アンテナ４が指定可能となっている。
【００３７】
収納状況取得部１１において非接触型ＩＣラベル３から読み出されたシリアル番号は、収納状況管理部１２に与えられ、収納状況取得部１１にて非接触型ＩＣラベル３から読み出されたシリアル番号を用いて、棚１ａ〜１ｃにおける書籍の収納状況情報がテーブル上にて保持される。
【００３８】
図５は、図３に示した収納状況管理部１２内のテーブルの一例を示す図である。
【００３９】
収納状況管理部１２においては、図５に示すように、コントロールユニット１０ａ〜１０ｃ毎に付与されたＩＰアドレスと、アンテナ４を介しての読み取り結果に応じて判断された書籍の収納位置と、アンテナ４を介して読み出された非接触型ＩＣラベル３のシリアル番号とが対応づけられてテーブル上にて保持される。なお、収納状況管理部１２においては、ブックシェルフ２ａ〜２ｌの配置位置、すなわち、ブックシェルフ２ａ〜２ｌに内蔵されたアンテナ４の配置位置が管理されているため、アンテナ４を介しての読み取り結果に応じて書籍の収納位置を判断することができる。
【００４０】
このように、コントロールユニット１０ａ〜１０ｃにて、ブックシェルフ２ａ〜２ｌに内蔵されたアンテナ４が順次指定され、書籍に貼付された非接触型ＩＣラベル３からシリアル番号が順次読み出され、このシリアル番号がコントロールユニット１０ａ〜１０ｃに送信されることにより、棚１ａ〜１ｃにおける書籍の収納状況が収納状況管理部１２にて保持、管理されることになる。
【００４１】
ここで、アンテナ４を介しての読み取り結果に応じて書籍の収納位置を判断する方法について説明する。
【００４２】
図１に示した棚１ａにおいて、ブックシェルフ２ａ，２ｂに内蔵されたアンテナ４のみを介してシリアル番号が読み取られた非接触型ＩＣラベル３が貼付された書籍は、ブックシェルフ２ａとブックシェルフ２ｂとの間に収納されていると判断され、また、ブックシェルフ２ｂ，２ｃに内蔵されたアンテナ４のみを介してシリアル番号が読み取られた非接触型ＩＣラベル３が貼付された書籍は、ブックシェルフ２ｂとブックシェルフ２ｃとの間に収納されていると判断され、また、ブックシェルフ２ｃ，２ｄに内蔵されたアンテナ４のみを介してシリアル番号が読み取られた非接触型ＩＣラベル３が貼付された書籍は、ブックシェルフ２ｃとブックシェルフ２ｄとの間に収納されていると判断され、これら収納位置を示す情報が図５に示したテーブルに登録される。
【００４３】
なお、上述したように書籍の収納位置を認識するためには、ブックシェルフ２ａ〜２ｌの間隔を、ブックシェルフ２ａ〜２ｌに内蔵されたアンテナ４の通信可能距離に設定しておく必要がある。しかし、例えば、アンテナ４のコア部分に生じた磁界によって、このアンテナ４が内蔵されたブックシェルフ２ｂに隣接するブックシェルフ２ｃに内蔵されたアンテナ４に電流が流れてしまう虞れがある。その場合、ブックシェルフ２ｃに内蔵されたアンテナ４のコア部分にも磁界が生じ、それにより、コントロールユニット１０ａ〜１０ｃにてブックシェルフ２ｃに内蔵されたアンテナ４に高周波電流が供給されていないにも関わらず、ブックシェルフ２ｃのブックシェルフ２ｂとは反対側に収納された書籍に貼付された非接触型ＩＣラベル３からもシリアル番号が読み出されてしまい、この書籍がブックシェルフ２ｂとブックシェルフ２ｃとの間に収納されているにも関わらず、ブックシェルフ２ａとブックシェルフ２ｂとの間に収納されていると判断されてしまう虞れがある。そこで、ブックシェルフ２ａ〜２ｌに内蔵されたアンテナ４にそれぞれ並列にコンデンサを設けたり、ブックシェルフ２ａ〜２ｌに内蔵されたアンテナ４にそれぞれ直列にコイルを設けたりするとともに、このコンデンサやコイルのＯＮ／ＯＦＦを制御するための電子スイッチを設け、電子スイッチをＯＮ／ＯＦＦ制御することにより、ブックシェルフ２ａ〜２ｌに内蔵されたンテナ４のうち、ＯＮ状態となるアンテナとその他のアンテナとの共振特性を異ならせることにより、上述した現象を回避することが考えられる。
【００４４】
以下に、上述したように書籍の収納状況が管理されている状態にて棚１ａ〜１ｃに収納された書籍を検索する方法について説明する。
【００４５】
図６は、図１に示した物品管理システムにおいて棚１ａ〜１ｃに収納された書籍を検索する方法を説明するためのフローチャートである。
【００４６】
棚１ａ〜１ｃに収納された書籍を検索する場合は、まず、利用者が所持する利用者カードをリーダ４１に翳す。すると、利用者カードに書き込まれた利用者ＩＤがリーダ４１にて読み取られ（ステップＳ１）、管理用パソコン４０から管理サーバ２０に送信される（ステップＳ２）。
【００４７】
管理サーバ２０においては、管理用パソコン４０から送信されてきた利用者ＩＤが受信されると（ステップＳ３）、この利用者ＩＤを用いて利用者認証が行われ（ステップＳ４）、その後、メニュー画面が情報画面提供部２６から送信される（ステップＳ５）。なお、利用者ＩＤは、利用者登録した利用者に予め付与され、利用者情報データベース３２に登録されており、管理サーバ２０においては、この利用者情報データベース３２を用いて利用者認証を行うことになる。
【００４８】
管理サーバ２０から送信されたメニュー画面が管理用パソコン４０にて受信、表示された後（ステップＳ６）、管理用パソコン４０において、管理サーバ２０の情報画面提供部２６から提供されたメニュー画面上にて書籍を検索するための検索画面が選択されると（ステップＳ７）、棚１ａ〜１ｃに収納された書籍を検索するための検索画面が管理サーバ２０の情報画面提供部２６から送信され（ステップＳ８）、管理用パソコン４０にて受信、表示される（ステップＳ９）。
【００４９】
図７は、図１に示した物品管理システムにおいて棚１ａ〜１ｃに収納された書籍を検索するための検索画面の一例を示す図である。
【００５０】
図７に示すように、棚１ａ〜１ｃに収納された書籍を検索するために管理サーバ２０の情報画面提供部２６から送信されて管理用パソコン４０にて表示される検索画面には、検索対象となる書籍の名称を入力するための書籍名入力領域５１と、書籍の著者名を入力するための著者名入力領域５２と、出版社名を入力するための出版社名入力領域５３が設けられているとともに、書籍名入力領域５１、著者名入力領域５２あるいは出版社名入力領域５３に入力された条件で検索を行う場合に押下するための検索ボタン５４が掲載されている。
【００５１】
図７に示した検索画面に対して、書籍名入力領域５１、著者名入力領域５２あるいは出版社名入力領域５３に検索条件が入力された後、検索ボタン５４が押下されると（ステップＳ１０）、書籍名入力領域５１、著者名入力領域５２あるいは出版社名入力領域５３に入力された検索条件が管理サーバ２０の情報検索部２５にて受信される（ステップＳ１１）。なお、検索条件は、書籍名入力領域５１、著者名入力領域５２及び出版社名入力領域５３のいずれか１つに入力されていればよい。
【００５２】
情報検索部２５においては、書籍情報管理部２３にて管理されている書籍情報データベース３１の中から、管理用パソコン４０にて入力された検索条件に合致する書籍の書籍名、著者名及び出版社名が検索されるとともに、これらの情報と対応づけられた書籍ＩＤを用いてコントロールユニット１０ａ〜１０ｃの収納状況管理部１２にて管理されている書籍の収納位置が取得される（ステップＳ１２）。
【００５３】
すると、管理サーバ２０の情報画面提供部２６において、書籍情報データベース３１の中から検索された書籍名、著者名及び出版社名、並びに、コントロールユニット１０ａ〜１０ｃから取得された書籍の収納位置が掲載された情報画面が作成され、通信部２２を介して管理用パソコン４０に送信される（ステップＳ１３）。
【００５４】
管理サーバ２０の情報画面提供部２６から送信された情報画面は管理用パソコン４０にて受信され、表示される（ステップＳ１４）。
【００５５】
図８は、図１に示した管理サーバ２０から送信されて管理用パソコン４０に表示される検索結果が掲載された画面の一例を示す図である。
【００５６】
図８に示すように、図１に示した管理サーバ２０から送信されて管理用パソコン４０に表示される検索結果が掲載された画面においては、図７に示した検索画面に入力された検索条件に対して検索された書籍の書籍名、著者名及び出版社名、並びに、その書籍の収納位置が掲載されているとともに、これらが掲載された書籍の中からさらなる詳細情報を表示させる書籍を選択するためのチェックボックス６１が設けられている。
【００５７】
図８に示した画面に掲載された書籍の中からチェックボックス６１にチェックを入力することにより書籍が選択されると（ステップＳ１５）、管理サーバ２０においては、まず、選択された書籍の書籍ＩＤが認識され、この書籍ＩＤとステップＳ３にて管理用パソコン４０から送信されてきた利用者ＩＤとが利用者情報管理部２４において、利用者情報データベース３２に対応づけて登録される（ステップＳ１６）。すなわち、書籍が選択された際に管理サーバ２０に付与されている利用者ＩＤと書籍ＩＤとが対応づけて登録されることになる。なお、利用者ＩＤは、上述したように利用者情報データベース３２に登録されているため、この利用者ＩＤに書籍ＩＤが対応づけて登録されることになる。
【００５８】
図９は、図１に示した利用者情報データベース３２の構成を示す図である。
【００５９】
図９に示すように、利用者情報データベース３２には、利用者登録された利用者に付与された利用者ＩＤ毎に書籍ＩＤの登録領域が設けられており、その登録領域には、利用者が図８に示した画面を用いて選択した書籍の書籍ＩＤがそれぞれ登録されている。このように、利用者ＩＤ毎にその利用者が選択した書籍の書籍ＩＤを登録しておくことにより、利用者が選択した書籍をお気に入りとして登録しておくことができ、その後の利用者による書籍の検索処理において、利用者情報データベース３２に利用者ＩＤと対応づけて登録された書籍ＩＤによって識別される書籍をお気に入りとして検索することができるようになる。
【００６０】
また、管理サーバ２０においては、書籍情報データベース３１の中から、認識された書籍ＩＤに対応づけられた書籍の要約が検索され、情報画面提供部２６において、書籍の書籍名、著者名、出版社名及び要約が掲載された検索書籍詳細画面が作成され、通信部２２を介して管理用パソコン４０に送信される（ステップＳ１７）。
【００６１】
管理サーバ２０の情報画面提供部２６から送信された情報画面は管理用パソコン４０にて受信され、表示される（ステップＳ１８）。
【００６２】
図１０は、図１に示した管理サーバ２０から送信されて管理用パソコン４０に表示される検索書籍詳細画面の一例を示す図である。
【００６３】
図１０に示すように、図１に示した管理サーバ２０から送信されて管理用パソコン４０に表示される検索書籍詳細画面においては、図８に示した情報画面にて選択された書籍の書籍名、著者名、出版社名及び要約が掲載されているとともに、この書籍の収納位置を表示させるための表示切替ボタン６２が設けられている。これにより、利用者は、図８に示した情報画面にて選択した書籍に関する詳細情報を認識することができる。
【００６４】
その後、図１０に示した情報画面にて書籍名、著者名、出版社名及び要約が掲載された書籍の収納位置を表示させるために（ステップＳ１９）、表示切替ボタン６２が押下されると（ステップＳ２０）、管理サーバ２０の情報画面提供部２６において、図１０に示した情報画面にて書籍名、著者名、出版社名及び要約が掲載された書籍の収納位置が掲載された情報画面が作成され、通信部２２を介して管理用パソコン４０に送信される（ステップＳ２１）。
【００６５】
管理サーバ２０の情報画面提供部２６から送信された情報画面は管理用パソコン４０にて受信され、表示される（ステップＳ２２）。
【００６６】
図１１は、図１に示した管理サーバ２０から送信されて管理用パソコン４０に表示される収納位置掲載画面の一例を示す図である。
【００６７】
図１１に示すように、図１に示した管理サーバ２０から送信されて管理用パソコン４０に表示される収納位置掲載画面においては、図１０に示した情報画面にて書籍名、著者名、出版社名及び要約が掲載された書籍の収納位置がビジュアル的に掲載されている。図１１に示すように、棚１ａ〜１ｂにおける書籍の収納領域が升目によって区切られた形状で示されており、その収納領域のうち、図１０に示した情報画面にて書籍名、著者名、出版社名及び要約が掲載された書籍の収納位置が、色を変えたり、ハッチングされたりすることによって強調表示されている。これにより、利用者は、図８に示した情報画面にて選択した書籍の収納領域を認識することができる。また、棚１ａ〜１ｃｂに書籍が収納され、検索対象の書籍のみがその背表紙が掲載され、その他の書籍が黒塗りで掲載された情報画面を表示することも考えられる。
【００６８】
以下に、上述した処理が行われた後に書籍を検索する場合の処理について説明する。
【００６９】
図１２は、図１に示した物品管理システムにおいて利用者情報データベース３２に利用者ＩＤと書籍ＩＤとが対応づけて登録された後に書籍を検索する場合の処理を説明するためのフローチャートである。
【００７０】
図１に示した物品管理システムにおいて利用者情報データベース３２に利用者ＩＤと書籍ＩＤとが対応づけて登録された後に、棚１ａ〜１ｃに収納された書籍を検索する場合は、まず、利用者が所持する利用者カードをリーダ４１に翳す。すると、利用者カードに書き込まれた利用者ＩＤがリーダ４１にて読み取られ（ステップＳ３１）、管理用パソコン４０から管理サーバ２０に送信される（ステップＳ３２）。
【００７１】
管理サーバ２０においては、管理用パソコン４０から送信されてきた利用者ＩＤが受信されると（ステップＳ３３）、この利用者ＩＤを用いて利用者認証が行われ（ステップＳ３４）、その後、メニュー画面が情報画面提供部２６から送信される（ステップＳ３５）。
【００７２】
管理サーバ２０から送信されたメニュー画面が管理用パソコン４０にて受信、表示された後（ステップＳ３６）、管理用パソコン４０において、管理サーバ２０の情報画面提供部２６から提供されたメニュー画面に設けられたお気に入りボタンが押下されると（ステップＳ３７）、お気に入りボタンが押下された旨が管理用パソコン４０から管理サーバ２０に通知される。
【００７３】
すると、管理サーバ２０において、まず、情報検索部２５において、利用者情報管理部２４にて管理されている利用者情報データベース３２の中から、管理用パソコン４０から送信されてきた利用者ＩＤに対応づけられた書籍ＩＤが検索され（ステップＳ３８）、次に、書籍情報管理部２３にて管理されている書籍情報データベース３１の中から、利用者情報データベース３２から検索された書籍ＩＤに対応づけられた書籍の書籍名、著者名及び出版社名が検索されるとともに、この書籍ＩＤを用いてコントロールユニット１０ａ〜１０ｃの収納状況管理部１２にて管理されている検索時点での書籍の収納位置が取得される（ステップＳ３９）。すなわち、管理サーバ２０に付与された利用者ＩＤに対応づけられた書籍に関する情報が検索、取得されることになる。
【００７４】
すると、管理サーバ２０の情報画面提供部２６において、書籍情報データベース３１の中から検索された書籍名、著者名及び出版社名、並びに、コントロールユニット１０ａ〜１０ｃから取得された書籍の収納位置が掲載された情報画面が作成され、通信部２２を介して管理用パソコン４０に送信される（ステップＳ４０）。
【００７５】
管理サーバ２０の情報画面提供部２６から送信された情報画面は管理用パソコン４０にて受信され、表示される（ステップＳ４１）。
【００７６】
図１３は、図１に示した管理サーバ２０から送信されて管理用パソコン４０に表示される検索結果が掲載された画面の一例を示す図である。
【００７７】
図１３に示すように、図１に示した管理サーバ２０から送信されて管理用パソコン４０に表示される検索結果が掲載された画面においては、利用者情報データベース３２において、リーダ４１にて読み取られた利用者ＩＤに対応づけて登録されている書籍ＩＤによって識別される書籍の書籍名、著者名及び出版社名、並びに、その書籍の収納位置が掲載されているとともに、これらが掲載された書籍の中からさらなる詳細情報を表示させる書籍を選択するためのチェックボックス６３が設けられている。すなわち、利用者ＩＤによって識別される利用者が過去に検索し、お気に入りとして検索可能となった書籍の書籍名、著者名及び出版社名、並びに、その書籍の収納位置が掲載されていることになる。
【００７８】
図１３に示した画面に掲載された書籍の中からチェックボックス６３にチェックを入力することにより書籍が選択されると（ステップＳ４２）、管理サーバ２０においては、まず、選択された書籍の書籍ＩＤが認識され、書籍情報データベース３１の中から、認識された書籍ＩＤに対応づけられた書籍の要約が検索され、情報画面提供部２６において、書籍の書籍名、著者名、出版社名及び要約が掲載された検索書籍詳細画面が作成され、通信部２２を介して管理用パソコン４０に送信される（ステップＳ４３）。
【００７９】
管理サーバ２０の情報画面提供部２６から送信された情報画面は管理用パソコン４０にて受信され、表示される（ステップＳ４４）。
【００８０】
図１４は、図１に示した管理サーバ２０から送信されて管理用パソコン４０に表示される検索書籍詳細画面の一例を示す図である。
【００８１】
図１４に示すように、図１に示した管理サーバ２０から送信されて管理用パソコン４０に表示される検索書籍詳細画面においては、図１３に示した情報画面にて選択された書籍の書籍名、著者名、出版社名及び要約が掲載されているとともに、図１３に示した情報画面に掲載された書籍の書籍名、著者名、出版社名及び収納位置の一覧が掲載されている。また、この中からさらなる詳細情報を表示させる書籍を選択するためのチェックボックス６４が設けられているとともに、書籍名、著者名、出版社名及び要約が掲載された書籍の収納位置を表示させるための表示切替ボタン６５が設けられている。これにより、利用者は、図１３に示した情報画面にて選択した書籍に関する詳細情報を認識することができる。
【００８２】
その後、図１４に示した情報画面にて書籍名、著者名、出版社名及び要約が掲載された書籍の収納位置を表示させるために（ステップＳ４５）、表示切替ボタン６５が押下されると（ステップＳ４６）、管理サーバ２０の情報画面提供部２６において、図１４に示した情報画面にて書籍名、著者名、出版社名及び要約が掲載された書籍の収納位置が掲載された情報画面が作成され、通信部２２を介して管理用パソコン４０に送信される（ステップＳ４７）。
【００８３】
管理サーバ２０の情報画面提供部２６から送信された情報画面は管理用パソコン４０にて受信され、表示される（ステップＳ４８）。
【００８４】
図１５は、図１に示した管理サーバ２０から送信されて管理用パソコン４０に表示される収納位置掲載画面の一例を示す図である。
【００８５】
図１５に示すように、図１に示した管理サーバ２０から送信されて管理用パソコン４０に表示される収納位置掲載画面においては、図１４に示した情報画面にて書籍名、著者名、出版社名及び要約が掲載された書籍の収納位置がビジュアル的に掲載されているとともに、図１３に示した情報画面に掲載された書籍の書籍名、著者名、出版社名及び収納位置が掲載されている。図１５に示すように、棚１ａ〜１ｂにおける書籍の収納領域が升目によって区切られた形状で示されており、その収納領域のうち、図１４に示した情報画面にて書籍名、著者名、出版社名及び要約が掲載された書籍の収納位置が、色を変えたり、ハッチングされたりすることによって強調表示されている。これにより、利用者は、図１３に示した情報画面にて選択した書籍の収納領域を認識することができる。
【００８６】
（第２の実施の形態）
上述した第１の実施の形態においては、図７に示した検索画面に入力された検索条件によって検索された書籍の書籍ＩＤを利用者ＩＤと対応づけて管理しておき、その後、利用者ＩＤがリーダ４１にて読み取られた場合にその利用者ＩＤに対応づけて管理されている書籍に関する情報を管理用パソコン４０に表示する場合を例に挙げて説明したが、棚１ａ〜１ｃに収納された書籍のうち、特定の書籍を管理用パソコン４０に表示させ、その中から書籍が選択された場合にその書籍の書籍ＩＤを利用者ＩＤと対応づけて管理しておき、その後、利用者ＩＤがリーダ４１にて読み取られた場合にその利用者ＩＤに対応づけて管理されている書籍に関する情報を管理用パソコン４０に表示することも考えられる。
【００８７】
図１６は、本発明の物品管理システムの第２の実施の形態を示す図である。
【００８８】
本形態は図１６に示すように、その構成は第１の実施の形態にて示したものと同様である。以下に、この物品管理システムにおいて棚１ａ〜１ｃに収納された書籍を検索する方法について説明する。
【００８９】
図１７は、図１６に示した物品管理システムにおいて棚１ａ〜１ｃに収納された書籍を検索する方法を説明するためのフローチャートである。
【００９０】
利用者が所持する利用者カードをリーダ４１に翳すと、利用者カードに書き込まれた利用者ＩＤがリーダ４１にて読み取られ（ステップＳ１０１）、管理用パソコン４０から管理サーバ２０に送信される（ステップＳ１０２）。
【００９１】
管理サーバ２０においては、管理用パソコン４０から送信されてきた利用者ＩＤが受信されると（ステップＳ１０３）、この利用者ＩＤを用いて利用者認証が行われ（ステップＳ１０４）、その後、メニュー画面が情報画面提供部２６から送信される（ステップＳ１０５）。なお、利用者ＩＤは、利用者登録した利用者に予め付与され、利用者情報データベース３２に登録されており、管理サーバ２０においては、この利用者情報データベース３２を用いて利用者認証を行うことになる。
【００９２】
管理サーバ２０から送信されたメニュー画面が管理用パソコン４０にて受信、表示された後（ステップＳ１０６）、管理用パソコン４０に表示されたメニュー画面を用いて、棚１ａ〜１ｃに収納された書籍の中から、例えば新刊である書籍やお勧めの書籍等の特定の書籍に関する情報を表示する画面が選択されると（ステップＳ１０７）、管理サーバ２０の情報画面提供部２６において、新刊である書籍やお勧めの書籍等の特定の書籍の一覧が掲載された情報画面が通信部２２を介して管理用パソコン４０に送信される（ステップＳ１０８）。
【００９３】
管理サーバ２０の情報画面提供部２６から送信された、新刊である書籍やお勧めの書籍等の特定の書籍の一覧が掲載された情報画面は管理用パソコン４０にて受信され、表示される（ステップＳ１０９）。
【００９４】
図１８は、図１６に示した管理サーバ２０から送信されて管理用パソコン４０に表示される、特定の書籍の一覧が掲載された画面の一例を示す図である。
【００９５】
図１８に示すように、図１６に示した管理サーバ２０から送信されて管理用パソコン４０に表示される、特定の書籍の一覧が掲載された画面においては、新刊である書籍やお勧めの書籍等の書籍名、著者名及び出版社名が掲載されているとともに、これらが掲載された書籍の中からさらなる詳細情報を表示させる書籍を選択するためのチェックボックス６６が設けられている。
【００９６】
図１８に示した画面に掲載された書籍の中からチェックボックス６６にチェックを入力することにより書籍が選択されると（ステップＳ１１０）、管理サーバ２０においては、まず、選択された書籍の書籍ＩＤが認識され、この書籍ＩＤと管理用パソコン４０から送信されてきた利用者ＩＤとが利用者情報管理部２４において、利用者情報データベース３２に対応づけて登録される（ステップＳ１１１）。すなわち、書籍が選択された際に管理サーバ２０に付与されている利用者ＩＤと書籍ＩＤとが対応づけて登録されることになる。なお、利用者ＩＤは、上述したように利用者情報データベース３２に登録されているため、この利用者ＩＤに書籍ＩＤが対応づけて登録されることになる。このように、利用者ＩＤ毎にその利用者が選択した書籍の書籍ＩＤが登録しておくことにより、利用者が選択した書籍をお気に入りとして登録しておくことができ、その後の利用者による書籍の検索処理において、利用者情報データベース３２に利用者ＩＤに対応づけて登録された書籍ＩＤによって識別される書籍をお気に入りとして検索することができるようになる。
【００９７】
また、管理サーバ２０においては、書籍情報データベース３１の中から、認識された書籍ＩＤに対応づけられた書籍の要約が検索され、情報画面提供部２６において、書籍の書籍名、著者名、出版社名及び要約が掲載された検索書籍詳細画面が作成され、通信部２２を介して管理用パソコン４０に送信される（ステップＳ１１２）。
【００９８】
管理サーバ２０の情報画面提供部２６から送信された情報画面は管理用パソコン４０にて受信され、表示される（ステップＳ１１３）。これにより、利用者は、図１８に示した情報画面にて選択した書籍に関する詳細情報を認識することができる。
【００９９】
その後、管理用パソコン４０に表示された情報画面にて書籍名、著者名、出版社名及び要約が掲載された書籍の収納位置を表示させるために（ステップＳ１１４）、管理用パソコン４０に表示された情報画面に設けられた表示切替ボタン（不図示）が押下されると（ステップＳ１１５）、管理サーバ２０の情報画面提供部２６において、管理用パソコン４０に表示された情報画面にて書籍名、著者名、出版社名及び要約が掲載された書籍の収納位置が掲載された情報画面が作成され、通信部２２を介して管理用パソコン４０に送信される（ステップＳ１１６）。
【０１００】
管理サーバ２０の情報画面提供部２６から送信された情報画面は管理用パソコン４０にて受信され、表示される（ステップＳ１１７）。これにより、利用者は、図１８に示した情報画面にて選択した書籍の収納領域を認識することができる。
【０１０１】
このようにして利用者情報データベース３２に利用者ＩＤと書籍ＩＤとが対応づけて登録された後の検索処理については、第１の実施の形態にて示したものと同様である。
【０１０２】
本形態においては、新刊等が入荷した場合、新刊コーナー等の特別設置場所に配置される状況において、人気があるために売り切れまたは貸し出し中の書籍を、人気が薄れた際に購入またはレンタルできるようにお気に入りに登録しておき、後日、その書籍が新刊の設置場所から通常の配置場所に移動された場合でも、迷うこと無く、早急かつ正確にその収納位置を知ることができるという効果を奏する。
【０１０３】
（第３の実施の形態）
図１９は、本発明の物品管理システムの第３の実施の形態を示す図である。
【０１０４】
本形態は図１９に示すように、第１及び第２の実施の形態にて示したものに対して、指定情報読取手段であるリーダ４２が管理用パソコン４０に接続されて設けられている点のみが異なるものである。これら、管理用パソコン４０及びリーダ４１，４２は、例えば机上に設置され、リーダ４１においては、利用者が所持する利用者カードが翳されることによりこの利用者カードから利用者ＩＤを読み取り、リーダ４２においては、棚１ａ〜１ｃに収納される書籍が翳されることにより、書籍に貼付された非接触型ＩＣカードから書籍ＩＤとなるシリアル番号を読み取る。
【０１０５】
以下に、上記のように構成された物品管理システムにおいて、所望の書籍をお気に入りとして登録する際の処理について説明する。
【０１０６】
図２０は、図１９に示した物品管理システムにおいて所望の書籍をお気に入りとして登録する際の処理を説明するためのフローチャートである。
【０１０７】
利用者が所持する利用者カードをリーダ４１に翳すと、利用者カードに書き込まれた利用者ＩＤがリーダ４１にて読み取られ（ステップＳ２０１）、管理用パソコン４０から管理サーバ２０に送信される（ステップＳ２０２）。
【０１０８】
管理サーバ２０においては、管理用パソコン４０から送信されてきた利用者ＩＤが受信されると（ステップＳ２０３）、この利用者ＩＤを用いて利用者認証が行われ（ステップＳ２０４）、その後、メニュー画面が情報画面提供部２６から送信される（ステップＳ２０５）。なお、利用者ＩＤは、利用者登録した利用者に予め付与され、利用者情報データベース３２に登録されており、管理サーバ２０においては、この利用者情報データベース３２を用いて利用者認証を行うことになる。
【０１０９】
管理サーバ２０から送信されたメニュー画面が管理用パソコン４０にて受信、表示された後（ステップＳ２０６）、利用者が棚１ａ〜１ｃから取り出してきた書籍をリーダ４２に翳すと、書籍に貼付された非接触型ＩＣラベルから書籍ＩＤとなるシリアル番号がリーダ４２にて読み取られ（ステップＳ２０７）、管理用パソコン４０から管理サーバ２０に送信される（ステップＳ２０８）。
【０１１０】
管理用パソコン４０から送信された利用者ＩＤと書籍ＩＤは管理サーバ２０にて受信され（ステップＳ２０９）、まず、管理用パソコン４０から送信されてきた利用者ＩＤと書籍ＩＤとが利用者情報管理部２４において、利用者情報データベース３２に対応づけて登録される（ステップＳ２１０）。すなわち、書籍がリーダ４２に翳されることにより書籍が選択された際に、リーダ４１にて読み取られて管理用パソコン４０から管理サーバ２０に付与されている利用者ＩＤと書籍ＩＤとが対応づけて登録されることになる。このように、利用者ＩＤ毎にその利用者が選択した書籍の書籍ＩＤが登録しておくことにより、利用者が選択した書籍をお気に入りとして登録しておくことができ、その後の利用者による書籍の検索処理において、利用者情報データベース３２に利用者ＩＤと対応づけて登録された書籍ＩＤによって識別される書籍をお気に入りとして検索することができるようになる。
【０１１１】
また、管理サーバ２０においては、書籍情報データベース３１の中から、管理用パソコン４０から送信されてきた書籍ＩＤに対応づけられた書籍の要約が検索され、情報画面提供部２６において、書籍の書籍名、著者名、出版社名及び要約が掲載された検索書籍詳細画面が作成され、通信部２２を介して管理用パソコン４０に送信される（ステップＳ２１１）。
【０１１２】
管理サーバ２０の情報画面提供部２６から送信された情報画面は管理用パソコン４０にて受信され、表示される（ステップＳ２１２）。これにより、利用者は、棚１ａ〜１ｃから取り出してリーダ４２に翳した書籍に関する詳細情報を認識することができる。
【０１１３】
なお、上述した３つの実施の形態においては、利用者が所持する利用者カードに利用者ＩＤが書き込まれ、この利用者ＩＤがリーダ４１にて読み取られる構成を例に挙げて説明したが、利用者ＩＤを管理用パソコン４０に直接入力する構成であってもよい。
【０１１４】
また、棚１ａ〜１ｃに収納される物品として書籍を例に挙げて説明したが、本発明にて管理可能な物品は、ＲＦ−ＩＤメディアが取り付けられていれば書籍に限らない。
【図面の簡単な説明】
【０１１５】
【図１】本発明の物品管理システムの第１の実施の形態を示す図である。
【図２】図１に示したブックシェルフの内部構造を示す図である。
【図３】図１に示したコントロールユニットの構成を示す図である。
【図４】図１に示した棚に収納される書籍に貼付される非接触型ＩＣラベルの構造を示す図である。
【図５】図３に示した収納状況管理部内のテーブルの一例を示す図である。
【図６】図１に示した物品管理システムにおいて棚に収納された書籍を検索する方法を説明するためのフローチャートである。
【図７】図１に示した物品管理システムにおいて棚に収納された書籍を検索するための検索画面の一例を示す図である。
【図８】図１に示した管理サーバから送信されて管理用パソコンに表示される検索結果が掲載された画面の一例を示す図である。
【図９】図１に示した利用者情報データベースの構成を示す図である。
【図１０】図１に示した管理サーバから送信されて管理用パソコンに表示される検索書籍詳細画面の一例を示す図である。
【図１１】図１に示した管理サーバから送信されて管理用パソコンに表示される収納位置掲載画面の一例を示す図である。
【図１２】図１に示した物品管理システムにおいて利用者情報データベースに利用者ＩＤと書籍ＩＤとが対応づけて登録された後に書籍を検索する場合の処理を説明するためのフローチャートである。
【図１３】図１に示した管理サーバから送信されて管理用パソコンに表示される検索結果が掲載された画面の一例を示す図である。
【図１４】図１に示した管理サーバから送信されて管理用パソコンに表示される検索書籍詳細画面の一例を示す図である。
【図１５】図１に示した管理サーバから送信されて管理用パソコンに表示される収納位置掲載画面の一例を示す図である。
【図１６】本発明の物品管理システムの第２の実施の形態を示す図である。
【図１７】図１６に示した物品管理システムにおいて棚に収納された書籍を検索する方法を説明するためのフローチャートである。
【図１８】図１６に示した管理サーバから送信されて管理用パソコンに表示される、特定の書籍の一覧が掲載された画面の一例を示す図である。
【図１９】本発明の物品管理システムの第３の実施の形態を示す図である。
【図２０】図１９に示した物品管理システムにおいて所望の書籍をお気に入りとして登録する際の処理を説明するためのフローチャートである。
【符号の説明】
【０１１６】
１ａ〜１ｃ    棚
２ａ〜２ｌ    ブックシェルフ
３    非接触型ＩＣラベル
３ａ    ＩＣチップ
３ｂ，４    アンテナ
３ｃ    ラベル基材
１０ａ〜１０ｃ    コントロールユニット
１１    収納状況取得部
１２    収納状況管理部
１３    検索部
１４，２１，２２    通信部
２０    管理サーバ
２３    書籍情報管理部
２４    利用者情報管理部
２５    情報検索部
２６    情報画面提供部
３１    書籍情報データベース
３２    利用者情報データベース
３３    ハブ
４０    管理用パソコン
４１，４２    リーダ
５１    書籍名入力領域
５２    著者名入力領域
５３    出版社名入力領域
５４    検索ボタン
６１，６３，６４，６６    チェックボックス
６２，６５    表示切替ボタン
【図１】
2007238236.tif 000003
【図２】
2007238236.tif 000004
【図３】
2007238236.tif 000005
【図４】
2007238236.tif 000006
【図５】
2007238236.tif 000007
【図６】
2007238236.tif 000008
【図７】
2007238236.tif 000009
【図８】
2007238236.tif 000010
【図９】
2007238236.tif 000011
【図１０】
2007238236.tif 000012
【図１１】
2007238236.tif 000013
【図１２】
2007238236.tif 000014
【図１３】
2007238236.tif 000015
【図１４】
2007238236.tif 000016
【図１５】
2007238236.tif 000017
【図１６】
2007238236.tif 000018
【図１７】
2007238236.tif 000019
【図１８】
2007238236.tif 000020
【図１９】
2007238236.tif 000021
【図２０】
2007238236.tif 000022